(57)【要約】【課題】操作された操作キーを示す領域を識別表示するとともに、その領域の近傍に操作キーに関連する情報、例えば、操作キーをアクティブ状態または非アクティブ状態に切替える情報やヘルプ等を簡単に表示することができる用紙発行装置を提供する。【解決手段】用紙発行装置は、所定の機能を割り当てた操作キーに対して、アクティブ状態または非アクティブ状態を示す設定情報を設ける設定手段と、所定の機能を割り当てた操作キーを表示する表示手段と、操作キーに対する操作を受け付ける操作受付手段と、操作受付手段により操作された操作キーを操作した領域を識別表示するとともにアクティブ状態または非アクティブ状態を切替える情報を前記領域に対応して出力する処理を行う制御手段（制御部）とを有する。【選択図】図６
2020074071.tif 000002
【特許請求の範囲】
【請求項１】
所定の機能を割り当てた操作キーに対して、アクティブ状態または非アクティブ状態を示す設定情報を設ける設定手段と、
前記所定の機能を割り当てた操作キーを表示する表示手段と、
前記操作キーに対する操作を受け付ける操作受付手段と、
前記操作受付手段により操作された操作キーを操作した領域を識別表示するとともにアクティブ状態または非アクティブ状態を切替える情報を前記領域に対応して出力する処理を行う制御手段と、を有することを特徴とする
用紙発行装置。
【請求項２】
前記制御手段は、前記操作キーを操作した領域の特定した位置を取得する位置取得手段を有し、
前記位置取得手段による特定位置と、前記操作キーに関連する情報の情報量に基づいて、当該操作キーに関連する情報の表示開始位置または表示終了位置を規定することを特徴とする請求項１に記載の用紙発行装置。
【請求項３】
前記制御手段は、アクティブ状態または非アクティブ状態を切替える情報を画面のタイトルの階層情報として前記表示手段に表示する処理を行うことを特徴とする請求項１または請求項２に記載の用紙発行装置。
【請求項４】
前記設定手段は数値による入力を可能とし、前記制御手段は、前記数値による入力値に関連する項目の候補を選択可能に前記表示手段に表示する処理を行うことを特徴とする請求項１に記載の用紙発行装置。
【請求項５】
前記制御手段は、前記項目の候補の近傍に、少なくとも該項目の上限値または下限値のいずれかを表示する処理を行うことを特徴とする請求項４に記載の用紙発行装置。
【発明の詳細な説明】
【技術分野】
【０００１】
本発明は、用紙発行装置に関する。
【背景技術】
【０００２】
操作キーなどを表示するタッチパネル式の表示部を有し、その操作キーが操作された場合、印刷などに関する所定の処理を行うプリンタなどの情報処理装置が知られている。例えば、特許文献１には、操作可能な操作キーと、状況に応じて規定される操作不可能な操作キー（網掛け表示された操作キー）とをタッチパネル式の表示部に表示する技術が知られている（例えば、特許文献１参照）。
【先行技術文献】
【特許文献】
【０００３】
【特許文献１】特開平９−９８２７８号公報
【発明の概要】
【発明が解決しようとする課題】
【０００４】
ユーザが所望の操作キーを操作した場合、例えば、その操作キーに関する情報をポップアップ表示させたい場合がある。しかしながら、単純にポップアップ表示した場合、どの操作キーに対するポップアップ表示なのかユーザにとって分かりにくい。
【０００５】
本発明は、上述した問題に鑑みてなされたものであり、操作された操作キーを操作した領域を識別表示するとともに、その領域の近傍に操作キーに関連する情報、例えば、操作キーをアクティブ状態または非アクティブ状態に切替える情報やヘルプ等を簡単に表示することができる用紙発行装置を提供すること、などを目的とする。
【課題を解決するための手段】
【０００６】
このような目的を達成するために、本発明の用紙発行装置は、以下の構成を少なくとも具備するものである。
用紙発行装置は、所定の機能を割り当てた操作キーに対して、アクティブ状態または非アクティブ状態を示す設定情報を設ける設定手段と、
前記所定の機能を割り当てた操作キーを表示する表示手段と、
前記操作キーに対する操作を受け付ける操作受付手段と、
前記操作受付手段により操作された操作キーを操作した領域を識別表示するとともにアクティブ状態または非アクティブ状態を切替える情報を前記領域に対応して出力する処理を行う制御手段と、を有することを特徴とする。
識別表示する領域（識別表示部）は、例えば、印、マーク、文字、記号、規定の色を他の色に変更する処理を施した所定領域、などであってもよい。
用紙発行装置は、例えば、ラベルプリンタ、包装装置、秤、レジスターなどの装置である。
【発明の効果】
【０００７】
本発明によれば、操作された操作キーを操作した領域を識別表示するとともに、その領域の近傍に操作キーに関連する情報、例えば、操作キーをアクティブ状態または非アクティブ状態に切替えるための条件やヘルプなどを簡単に表示することができる用紙発行装置を提供することができる。
【図面の簡単な説明】
【０００８】
【図１】本発明の実施形態に係る用紙発行装置としてのラベルプリンタ（印刷装置）の構成の一例を示す模式図、（ａ）はその左側面図、（ｂ）はその正面図、（ｃ）はその右側面図。
【図２】本発明の実施形態に係る用紙発行装置としてのラベルプリンタ（印刷装置）の構成の一例を示す模式図、（ａ）はその平面図、（ｂ）はその底面図、（ｃ）はその背面図。
【図３】本発明の実施形態に係る用紙発行装置としてのラベルプリンタの電気的構成の一例を示すブロック図。
【図４】表示部に表示される表示画面の一例を示す図。
【図５】表示画面の一例を示す図。
【図６】非アクティブ状態の操作キーをアクティブ状態とする情報（ヘルプ）を表示した画面表示の一例を示す図。
【図７】ポップアップ表示領域のスタート位置を画面左端部とした画面表示の一例を示す図。
【図８】非アクティブ状態の操作キーをアクティブ状態とする情報を表示した画面表示の一例を示す図。
【図９】ポップアップ表示領域のエンド位置を印位置とした画面表示の一例を示す図。
【図１０】ポップアップ表示領域のスタート位置を画面左端部とした画面表示の一例を示す図。
【図１１】非アクティブ状態の操作キーをアクティブ状態とする情報を表示した画面表示の一例を示す図。
【図１２】数字入力した場合のポップアップ表示の一例を示す図。
【図１３】本発明の実施形態に係る用紙発行装置の操作者（ユーザ）毎の権限レベルの一例を示す図。
【図１４】本発明の実施形態に係る用紙発行装置の状態遷移の一例を示す図。
【図１５】用紙発行装置の動作の一例を示すフローチャート。
【発明を実施するための形態】
【０００９】
本発明の実施形態に係る用紙発行装置は、所定の機能を割り当てた操作キーに対して、アクティブ状態または非アクティブ状態を示す設定情報を設ける設定手段と、所定の機能を割り当てた操作キーを表示する表示手段と、操作キーに対する操作を受け付ける操作受付手段と、操作受付手段により操作された操作キーを操作した領域を識別表示するとともにアクティブ状態または非アクティブ状態を切替える情報を前記領域に対応して出力する処理を行う制御手段と、などを有する。
【００１０】
以下、本発明の実施形態に係る用紙発行装置を採用したラベルプリンタを、図面を参照して説明する。
【００１１】
図１、図２は本発明の実施形態に係る用紙発行装置としてのラベルプリンタ（印刷装置）の構成の一例を示す模式図である。詳細には、図１（ａ）はその左側面図、図１（ｂ）はその正面図、図１（ｃ）はその右側面図、図２（ａ）はその平面図、図２（ｂ）はその底面図、図２（ｃ）はその背面図である。図３は本発明の実施形態に係るラベルプリンタ１００の電気的構成の一例を示すブロック図である。
【００１２】
ラベルプリンタ１００は本体部１を有する。ラベルプリンタ１００の本体部１は、前面に、印字機構部３（印字手段）と、操作部５（操作手段）と、などを有する。印字機構部３は、ラベルの印字を行い、印字したラベルを排出する。
印字機構部３は、詳細には、ドット印字を行うサーマルヘッドと、１ドットライン分のデータを蓄積してサーマルヘッドに供給するシフトレジスタと、ラベルを１ドットラインずつ移動させるステッピングモータと、などを有しており、用紙ロールから用紙を繰り出した用紙に、サーマルヘッドにより任意の文字、数字、画像などを印字し、その用紙を切断手段などにより枚葉状のラベルにして発行する。
【００１３】
操作部５（操作手段）は、操作キーや表示部に表示された操作キー等に対する操作を受け付ける。詳細には、操作手段としての操作部５は、キー操作部７と、表示操作部としての表示部９と、を備える。キー操作部７はテンキーや印字キーなどを備える。テンキーは数字の入力を受け付ける。印字キーは印字指示の入力を受け付ける。本実施形態では、表示部９は、液晶表示器などの表示部９ｂの上面にタッチパネル９ａを積層した構造となっており、同一面でデータの表示と入力とができるようになっている。
表示部９ｂは、制御部２０の制御により、本発明に係る各画像の表示を行う。
【００１４】
タッチパネル９ａは、透明のパネルであり、液晶表示器などの表示部９ｂの上面に設けられている。タッチパネル９ａは、操作者の指がパネルに触れる又はパネルに近づくと、その位置を検出し、検出した位置に応じた信号を制御部に出力する。
【００１５】
図３に示したように、ラベルプリンタ１００は、制御回路部２００を有する。制御回路部２００は、制御手段としての制御部２０（ＣＰＵ）と、ロードセル制御部２１と、印字制御部２２と、スキャナ制御部２３と、操作制御部２４と、表示制御部２５と、ＲＡＭ３０やＲＯＭ４０などの記憶手段と、などを備える。制御部２０（ＣＰＵ）は、バスなどの通信線を介して、制御回路部２００が備える各構成要素と、互いにデータ入出力可能な状態で接続している。
【００１６】
制御部２０は、例えば、ＲＯＭ４０に記憶する制御プログラムとＲＡＭ３０に記憶する各種情報を読み出し、読み出した制御プログラムと各種情報とに基づいて、各構成要素の制御を行う。また、制御部２０は、必要な情報をＲＡＭ３０に記憶させる。
【００１７】
ロードセル制御部２１は、はかり２のロードセル２ａの制御を行う。印字制御部２２は、印字機構部３の制御を行う。スキャナ制御部２３は、イメージスキャナ１４の制御を行う。操作制御部２４は、キー操作部７と、タッチパネル９ａの制御を行う。表示制御部２５は、表示部９ｂの制御を行う。
【００１８】
ＲＡＭ３０、ＲＯＭ４０などの記憶手段は、操作者毎に割り当てた識別情報と、ラベルプリンタ（用紙発行装置）の備える機能などについて操作者毎に使用可能か否かを規定する権限情報とを関連付けて記憶する。また、記憶手段は、操作者ごとに割り当てられた識別情報と、操作キーに対してアクティブ状態または非アクティブ状態を示す前記設定情報とを関連付けて記憶する。
また、記憶手段は、ラベル発行画面に表示される、ラベルの発行に関する設定値を変更可能か否かを規定する可否情報を、識別情報と関連付けて権限情報に記憶する。
【００１９】
詳細には、ＲＡＭ３０は、制御部２０（ＣＰＵ）が用いる情報を記憶する一時記憶領域である。ＲＯＭ４０は制御プログラムを記憶する。
【００２０】
制御部２０（ＣＰＵ）は、プログラム（制御プログラム）を実行することにより、本発明に係る各機能を実現する。詳細には、制御部２０は、設定手段、操作受付手段、制御手段などを有する。
【００２１】
制御部２０は、操作手段により操作された操作キーを示す印を表示するとともに当該操作キーに関連する情報を印の近傍に表示する処理を行う。
また、制御部２０は、印の位置と、操作キーに関連する情報の情報量とに基づいて、当該操作キーに関連する情報の表示開始位置または表示終了位置を規定する。
また、制御部２０は、操作キーに関連する情報としてヘルプ情報を、ヘルプ画面のタイトルの階層情報として表示する処理を行う。
【００２２】
また、制御部２０は、設定手段として、所定の機能を割り当てた操作キーに対して、アクティブ状態または非アクティブ状態を示す設定情報を設ける。
【００２３】
また、制御部２０は、識別情報入力手段として、操作部５のタッチパネル９ａやキー操作部７などにより、識別情報を受け付ける。
【００２４】
また、制御部２０は、操作受付手段として、操作キーに対する操作を受け付ける。
【００２５】
また、制御部２０は、制御手段として、操作受付手段により操作された操作キーを操作した領域を識別表示するとともにアクティブ状態または非アクティブ状態を切替える情報を前記領域に対応して出力する処理を行う。
【００２６】
また、制御部２０は、非アクティブ状態に設定された操作キーに対して、操作手段により操作を受け付けた場合、該非アクティブ状態に設定された操作キーをアクティブ状態にするための情報を表示部に表示する処理を行う。
【００２７】
制御部２０は、位置取得手段として、操作キーを操作した領域を特定した位置を取得する。
【００２８】
また、制御部２０は、識別情報入力手段により入力された識別情報に関連付けられた設定情報に基づいて、操作手段により操作を受け付けた、非アクティブ状態に設定された操作キーに対して、操作キーをアクティブ状態にするための情報の表示制御を行う。
【００２９】
また、制御部２０は、非アクティブ状態に設定された操作キーをアクティブ状態にするための情報に含まれる一つまたは複数の条件のうち、条件を満たした部分を非表示または通常と異なる表示とし、条件を満たさない部分を表示する処理を行う。
【００３０】
また、制御部２０は、非アクティブ状態に設定された操作キーをアクティブ状態にするための情報と、操作キーに関する設定画面を表示部に表示する処理を行う。
また、情報表示処理装置は、操作者（ユーザ）毎に、権限を設定することができ、ログインユーザ別に操作を制限してもよい。詳細には、情報表示処理装置は、第１権限レベル、第２権限レベル、第３権限レベル、第４権限レベル、・・・、などの権限レベルを操作者毎に設定することができる。
【００３１】
図４は表示部９および表示部９に表示される表示画面の一例を示す図である。図５は表示画面の一例を示す図である。図６は非アクティブ状態の操作キーをアクティブ状態とする情報（ヘルプ）を表示した画面表示の一例を示す図である。尚、以下、出力として表示処理を示したが、出力として印字処理を行ってもよい。
表示画面は、各機能が割り当てられた複数の操作キー９０１、９０２などを有する。
制御部は、操作手段により操作された操作キー９０２を操作した領域を示す印８１などの識別表示部を表示するとともに、その操作キー９０２に関連する情報をその印８１の近傍に表示する処理を行う。例えば、印８１は、ユーザの指などによりタッチパネルにタッチされた位置を示している。印８１は、例えば、マーク、記号、図形、規定された色などであってもよい。
制御部は、ポップアップ表示枠内に、操作キー９０２に関連する情報９０３を表示する。図６に示した例では、印８１の下部位置が、ポップアップ表示枠内の左上端部に規定されている。つまり、印８１の下部位置が、操作キー９０２に関連する情報の開始位置に規定している。
【００３２】
また、図６に示した例では、表示画面には、アクティブ状態の操作キー９０１と、非アクティブ状態の操作キー９０２とが設けられている。
【００３３】
アクティブ状態の操作キー９０１は、通常表示されている。この操作キー９０１の操作を受け付けた場合、操作キーに割り当てられた機能が実行される。
【００３４】
非アクティブ状態の操作キー９０２は、通常と異なる表示がなされている。通常と異なる表示とは、例えば、網掛け表示、半透明表示、非アクティブ状態を示す色による表示、取り消し線表示、アンダーライン表示、などを挙げることができる。低い権限で、この非アクティブ状態の操作キー９０２の操作を受け付けた場合、操作キーに割り当てられた機能は実行されなくてもよい。
また、本実施形態では、非アクティブ状態の操作キー９０２の操作を受け付けた場合、その操作キー９０２をアクティブ状態にするための情報９０３を表示部に表示する（図６参照）。尚、このアクティブ状態にするための情報は、高い権限の操作者（管理者など）による認証後、表示されるように構成してもよい。
図６に示した例では、タッチパネルで、非アクティブ状態の操作キー９０２を操作された場合、制御手段は、その操作キー９０２をアクティブ状態にするための情報９０３を、その操作キー９０２の近傍、または、操作キー９０２の表示領域に一部分重なるようにポップアップ表示する。表示体系はスケルトン表示であっても良い。
【００３５】
また、制御手段は、アクティブ状態または非アクティブ状態を切替える情報を画面のタイトルの階層情報として表示手段に表示する処理を行う。
例えば、制御手段は、この非アクティブ状態に設定された操作キーをアクティブ状態にするための情報９０３に含まれる一つまたは複数の条件のうち、条件を満たした部分を非表示または通常と異なる表示とし、条件を満たさない部分を表示する処理を行う。また、制御手段は、非アクティブ状態である旨を示す情報も表示部に表示させてもよい。
具体的には、図６に示した例では、「設定１＞包装機＞包装機接続：［あり］」、「包装機電源：［電源ＯＮ］」などと表示部に表示されている。操作者などによる作業により、「設定１＞包装機＞包装機接続：［あり］」の条件が満たされた場合、この条件が非表示、または、通常と異なる表示となる。通常と異なる表示としては、例えば、網掛け表示、半透明表示、非アクティブ状態を示す色による表示、取り消し線表示、アンダーライン表示、などを挙げることができる。
【００３６】
つまり、用紙類発行装置の表示部に表示される各ページ（設定画面など）、操作キーそれぞれには、規定の番号などの識別子が割り当てられている。本実施形態では、各ページの所定位置、例えば、右下位置などに各ページの識別子が表示されている（例えば、図５などの識別子表示領域９０５を参照）。尚、Ａ，Ｂ，Ｃは規定の番号（数字）などを示す。
例えば、「設定１＞包装機＞包装機接続：［あり］」の場合、「１０  ＞２０  ＞  ３０    ：１」などと割り当てられている。詳細には、「設定１」に「１０」、「包装機」に「２０」、「包装機接続：［あり］」に「３０」がそれぞれ割り当てられている。
【００３７】
また、例えば、図６に示した「メニュー１のページの包装機」のキーには、番号５００が割り振られており、番号５００には、１０＞２０＞３０：１（あり）or０（なし）が関連付けられている。
このため、「メニュー１のページの包装機」のキー（番号５００）を押下すると、それに関連付けられた「設定１；１０＞包装機；２０＞包装機接続；３０：１；あり」をアクティブにする為の情報がページタイトルの階層情報として表示される。
以上の構成にすることにより、各キーに対するヘルプ情報をテキストとしてメモリに記憶しておく必要がなくなるメリットと、キーの追加や削除による作業の低減のメリットがある。
尚、上記実施例では、操作キーに関して非アクティブ状態からアクティブ状態（有効）にするための情報を表示しているが、この形態に限られるものではなく、例えば、キーの現在の設定情報を読み込み比較した結果、変更しないといけない情報だけを階層情報として表示するようにしても良い。
また、接続情報(現在の情報)を階層情報と共に表示する用にしても良い。
また、操作キーに関して、非アクティブ状態からアクティブ状態（有効）にするための情報をテキストとして出力してもよい良い。
【００３８】
図７はポップアップ表示領域のスタート位置を画面左端部とした画面表示の一例を示す図である。
制御部は、識別表示部としての印の位置と、操作キーに関連する情報（例えば、アクティブ状態または非アクティブ状態を切替える情報）の情報量とに基づいて、当該操作キーに関連する情報の表示開始位置や表示終了位置を規定する。
図７に示した例では、操作キーに関連する情報を表示する領域の幅が、印８１の位置から表示画面の右端部までの長さよりも大きいので、制御部は、操作キーに関連する情報の表示開始位置を、表示画面の左端部に規定している。
【００３９】
図８は非アクティブ状態の操作キーをアクティブ状態とする情報を表示した画面表示の一例を示す図である。
図８に示した例では、操作された操作キー９０２が画面中央よりも右側に位置している。例えば、この操作キーに関連する情報を表示する領域の幅が、印８１の位置から表示画面の右端部までの長さよりも小さいので、制御部は、操作キーに関連する情報の表示開始位置を、印８１の下部位置として処理する。
【００４０】
図９はポップアップ表示領域のエンド位置を印位置とした画面表示の一例を示す図である。図９に示した例では、操作された操作キー９０２が画面中央よりも右側に位置している。例えば、この操作キーに関連する情報を表示する領域の幅が、印８１の位置から表示画面の右端部までの長さよりも大きいので、制御部は、操作キーに関連する情報の表示終了位置を、印８１の下部位置として処理している。詳細には、この操作キーに関連する情報を表示する領域の幅が、印８１の位置から表示画面の右端部までの長さよりも大きく、印８１の位置から表示画面の左端部までの長さよりも小さいので、制御部は、操作キーに関連する情報の表示終了位置を、印８１の下部位置として処理する。
【００４１】
図１０はポップアップ表示領域のスタート位置を画面左端部とした画面表示の一例を示す図である。図１０に示した例では、例えば、この操作キーに関連する情報を表示する領域の幅が、印８１の位置から表示画面の右端部までの長さよりも大きく、印８１の位置から表示画面の左端部までの長さよりも大きいので、制御部は、操作キーに関連する情報の表示終了位置を、表示画面左側端部として処理する。
【００４２】
図１１は非アクティブ状態の操作キーをアクティブ状態とする情報を表示した画面表示の一例を示す図である。
図１１に示した例では、原料原産地の設定に関する操作キー９０２が非アクティブ状態に設定されており、操作できないように規定されている。
その非アクティブ状態の操作キー９０２を操作された場合、制御部は、操作位置を示す印８１と、その操作キー９０２をアクティブ状態にするための情報９０３を、その操作キー９０２の近傍、または、操作キー９０２の表示領域に一部分重なるようにポップアップ表示などにより表示する。
【００４３】
図１２は数字入力した場合のポップアップ表示の一例を示す図である。
設定手段は数値による入力を可能とし、制御手段は、数値による入力値に関連する項目の候補を選択可能に表示手段に表示する処理を行う。
例えば、制御部は、設定手段による入力値（数値）に関連する項目の候補を選択可能に表示手段（表示部）に表示する処理を行う。
詳細には、制御部は、表示欄７０１に、入力された数値を表示する。制御部は、その入力値（数値）に関連する項目の候補の近傍に、少なくとも該項目の上限値または下限値のいずれかを表示する処理を行う。
図１２に示した例では、制御部は、入力された数値に関連する項目として、商品欄の近傍にポップアップ表示領域７０３に、商品コードの上限値と下限値を表示する処理を行う。
また、制御部は、入力された数値に関連する項目として、店名欄の近傍にポップアップ表示領域７０３に、店名コードの上限値と下限値を表示する処理を行う。
また、制御部は、入力された数値に関連する項目として、パック数欄の近傍にポップアップ表示領域７０３に、パック数の上限値と下限値を表示する処理を行う。
図示していないが、数値に関する項目を目立たせるように大きく表示、点滅表示、色を変えて表示するようにしてもよい。
【００４４】
表示欄７０１に数値が入力された状態で、所定の項目、例えば、店名欄が操作された場合、制御部は、操作位置に印８１を表示するとともに、入力された数値と操作された項目を関連付ける処理を行う。図１２に示した例では、制御部は、入力された数値を店名コードとみなし、数値に対応する店名コードや店名を記憶部から読み出して表示部の所定の項目欄に表示する。
【００４５】
図１３は本発明の実施形態に係る情報表示処理装置の操作者（ユーザ）毎の権限レベルの一例を示す図である。
情報表示処理装置は、操作者（ユーザ）毎に、権限を設定することができ、ログインユーザ別に操作を制限することができる。図１３に示した例では、情報表示処理装置は、第１権限レベル、第２権限レベル、第３権限レベル、第４権限レベル、・・・、などの権限レベルを操作者毎に設定することができる。
【００４６】
例えば、第１権限レベルは、装置（ラベルプリンタや包装装置など）の全ての機能を実行する権限を有する。第２権限レベルは、第１権限レベルと比べて、装置の全ての機能のうち、特定の機能を実行することができ、それ以外の機能については実行することができないように設定されている。第３権限レベルは、第２権限レベルと比べて、少ない特定の機能を実行することができ、それ以外の機能については実行することができないように設定されている。第４権限レベルは、第３権限レベルと比べて、少ない特定の機能を実行することができ、それ以外の機能については実行することができないように設定されている。ゲストモード（非ログイン状態）は、「極めて限られた機能しか実行できない値付モード」、「トレーニングモード」のみ操作可能、または、実行可能に設定されている。トレーニングモードは、実際のラベル発行を行うことを禁止しており、ラベルを発行する際の操作をトレーニングするための機能である。なお、第１権限レベルは、第２権限レベル以降の低い権限レベルの操作者に対して、ある特定の機能の実行あるいは表示または変更を許可（第１権限レベル）に設定することも可能になっている。
【００４７】
上記例では、権限レベルの番号が小さいほど、機能制限が小さいように設定されている。
また、上位の権限レベルの操作者（ユーザ）は下位の権限レベルの操作者（ユーザ）の機能権限テーブルの設定内容を追加したり変更することが可能である（例えば、特定の機能を操作可能にしたり禁止したりすることができる）が、下位の権限レベルの操作者は上位の権限レベルの操作者の設定を変更することができないように、制御部２０が処理を行う。
また、上位の権限レベルの操作者（ユーザ）は下位の権限レベルの操作者（ユーザ）のアカウントを削除することができるが、下位の権限レベルの操作者は上位の権限レベルの操作者のアカウントを削除できないように、制御部２０が処理を行う。
【００４８】
図１３に示した例では、操作者（ユーザ）として、管理者、マネージャー、リーダー、オペレータなどが、それぞれの識別情報（識別番号など）と、パスワードと関連付けられて、ラベルプリンタ（情報表示処理装置）の記憶手段（ＲＡＭ３０、ＲＯＭ４０など）に記憶されている。
制御部は、操作入力部により、操作者（ユーザ）として管理者の識別情報（ＩＤ）が入力された場合、予め記憶手段に記憶されている管理者の識別情報を正しく認識するか否かを判断し、認識された場合、装置へのログインを許可し、管理者の識別情報（ＩＤ）に関連付けられている第１権限レベルに基づいて、各種機能を実行可能に処理する。制御手段は、識別情報が一致しない場合、装置へのログインを不許可とする。
【００４９】
また、操作者の識別情報とパスワードにより認証を行ってもよい。詳細には、制御手段は、操作入力部により、操作者（ユーザ）として管理者の識別情報（ＩＤ）が入力され、且つ、パスワードが入力された場合、予め記憶手段に記憶されている管理者の識別情報に関連づけられたパスワードと、入力部から入力されたパスワードとが一致するか否かを判断し、それが一致した場合、装置へのログインを許可し、管理者の識別情報（ＩＤ）に関連付けられている第１権限レベルに基づいて、各種機能を実行可能に処理する。制御部２０は、上記パスワードが一致しない場合、装置へのログインを不許可とする。
【００５０】
また、制御部２０は、操作入力部により、操作者（ユーザ）としてマネージャーの識別情報（ＩＤ）が選択され、且つ、パスワードが入力された場合、予め記憶手段に記憶されているマネージャーの識別情報に関連づけられたパスワードと、入力部から入力されたパスワードとが一致するか否かを判断し、それが一致した場合、装置へのログインを許可し、管理者の識別情報（ＩＤ）に関連付けられている第２権限レベルに基づいて、各種機能を実行可能に処理する。制御部２０は、上記パスワードが一致しない場合、装置へのログインを不許可とする。また、制御部２０は、他のユーザに関しても、同様の処理を行う。
【００５１】
また、制御部２０は、全ユーザがログアウトした状態であるゲストモードでは、「すべての複数の機能のうち、ほとんどの機能について不許可として制限し、僅かな機能のみを許可した値付けモード」、「実際に値付処理を行うことなく、模擬的に値付処理の操作をトレーニング可能なトレーニングモード」など、機能制限した状態で使用可能に処理する。なお、トレーニングモードにおいてラベル発行を禁止するとしているが、権限が制限されている場合にラベル発行を許可するときには、発行されるラベルにトレーニングモードで発行された事を示す印や文字等を印字させるようにしてもよい。
【００５２】
図１４は、本発明の実施形態に係るラベルプリンタの状態遷移の一例を示す図である。
操作者（ユーザ）がログインしていない状態、すなわち、非ログイン時、制御部２０は、ゲストモードに設定し、ラベルプリンタのすべての複数の機能のうち、ほとんどの機能について不許可として制限し、僅かな機能のみを許可した値付けモードなどを許可する。
制御部２０は、ユーザログイン画面で、ログオフボタンが操作された場合など、ゲストモードに設定する。
ユーザログイン画面において、操作者の識別情報とパスワードが入力され、ユーザ認証が正しく行われた場合、制御部２０は、ログインした操作者の権限に応じた操作キーを有する画面やメインメニューなどを表示する。
各権限でログインした状態で、ログインボタン（ＢＴ）が操作された場合、ユーザログイン画面（ユーザ選択画面）に移行する。
また、各権限でログインした状態で、ログアウトした場合、非ログイン状態（ゲストモード）に移行する。尚、ゲストモードを設けなくともよい。
【００５３】
図１５は情報表示処理装置の動作の一例を示すフローチャートである。図１５および上記図面などを参照しながら、情報表示処理装置の動作の一例を説明する。
例えば、低い権限の操作者（ユーザ）がログインした状態における動作を説明する。制御部２０は、一つまたは複数の操作キーを表示部に表示する。
操作者により操作キーが押下などにより操作された場合（ステップＳＴ１）、その操作キーが有効（アクティブ状態）か否か（非アクティブ状態）を判別する（ステップＳＴ２）。
操作キーが有効（アクティブ状態）の場合、制御部は、その操作キーに割り当てられた機能に応じた所定の処理を行う（ステップＳＴ８）。
【００５４】
ステップＳＴ２の判別において、その操作キーが有効（アクティブ状態）でない、つまり無効（非アクティブ状態）である場合、非アクティブ状態に設定された操作キーをアクティブ状態にするための情報を表示部に表示する処理を行い（ステップＳＴ３）、ステップＳＴ４の処理に進む。制御部は、入力された識別情報を、記憶手段に記憶されている識別情報に照らし合わせて認証処理を行い、正しく認証された場合に、設定変更方法を表示する処理を行ってもよい。
【００５５】
ステップＳＴ４において、制御部は、操作手段からの信号に基づいて、その操作キーを有効にするか否かを判別し、キーを有効にする場合、ステップＳＴ５の処理に進み、それ以外の場合にステップＳＴ１の処理に進む。
【００５６】
ステップＳＴ５において、制御部の識別情報入力手段により、例えば、高い権限の操作者（管理者など）の識別情報が入力される。具体的には、例えば、制御部２０は、表示部に識別情報入力欄を表示し、操作者の操作により操作手段から識別情報が入力される。
尚、各操作者が、識別情報を記憶するＩＣカードや磁気カードなどの記憶媒体を携帯し、情報表示処理装置が、その記憶媒体に記憶されている識別情報を読み取ることにより、により、上述した認証処理を行ってもよい。
【００５７】
ステップＳＴ６において、制御部は、設定モードへ移行する。設定モードでは、権限の高い操作者（管理者など）により操作される設定画面が表示され、情報表示処理装置の各種設定などを変更することができる。
尚、制御部は、非アクティブ状態に設定された操作キーをアクティブ状態にするための情報を表示部に表示すると共に、操作キーに関する設定画面を表示部に表示する処理を行ってもよい。
【００５８】
ステップＳＴ７において、制御部２０は、上記設定処理を行い、各種操作キーをアクティブ化する設定処理（設定作業）などを行う。
【００５９】
以上、説明したように、本発明の実施形態に係る用紙発行装置は、所定の機能を割り当てた操作キーに対して、アクティブ状態または非アクティブ状態を示す設定情報を設ける設定手段（タッチパネル９ａ、キー操作部７、制御部２０など）と、所定の機能を割り当てた操作キーを表示する表示手段（表示部）と、操作キーに対する操作を受け付ける操作受付手段（タッチパネル９ａ、キー操作部７、制御部２０など）と、操作受付手段により操作された操作キーを操作した領域を識別表示するとともにアクティブ状態または非アクティブ状態を切替える情報を前記領域に対応して出力する処理を行う制御手段（制御部２０）と、を有する。
識別表示される識別表示部は、例えば、印、マーク、文字、記号、所定領域の色反転などであってもよい。用紙発行装置は、例えば、ラベルプリンタ、包装装置、秤、レジスターなどの装置である。
【００６０】
このため、操作受付手段により操作された操作キーを操作した領域を識別表示するとともにアクティブ状態または非アクティブ状態を切替える情報をその領域に対応して出力することができる用紙発行装置を提供することができる。
【００６１】
また、本実施形態では、制御手段は、操作キーを操作した領域の特定した位置を取得する位置取得手段を有し、位置取得手段による特定位置と、操作キーに関連する情報の情報量に基づいて、当該操作キーに関連する情報の表示開始位置または表示終了位置を規定する。
例えば、本発明の実施形態では、制御部は、印の位置と、操作キーに関連する情報の情報量とに基づいて、当該操作キーに関連する情報の表示開始位置または表示終了位置を規定する。このため、印の位置に対して、操作キーに関連する情報を最適な位置に表示することができる。
【００６２】
また、本発明の実施形態では、制御部は、操作キーに関連する情報としてヘルプ情報（設定情報）を、ヘルプ画面（設定情報）のタイトルの階層情報として表示する処理を行う。つまり、本実施形態では、ヘルプ情報（設定情報）は階層構造を有し、記憶部に記憶されている。
このため、ユーザは表示部に表示された階層情報に基づいて、ヘルプ画面（設定情報）のタイトルを順に選択して、ヘルプ画面（設定画面）を遷移していくだけで、所望の情報を得ることができ、簡単に所定の設定を行うことができる。
【００６３】
また、本実施形態では、情報表示処理装置は、所定の機能を割り当てた操作キーに対して、アクティブ状態または非アクティブ状態を示す設定情報を設ける設定手段と、操作キーに対する操作を受け付ける操作手段（タッチパネル９ａやキー操作部７など）と、非アクティブ状態に設定された操作キーに対して、操作手段により操作を受け付けた場合、その非アクティブ状態に設定された操作キーをアクティブ状態にするための情報を表示部９に表示する処理を行う制御部２０と、を有する。
このように、制御部２０により、非アクティブ状態の操作キーを、アクティブ状態にするための情報を表示することができる情報表示処理装置を提供することができる。
すなわち、操作者は、使用したくても使用できない非アクティブ状態の操作キーを、アクティブ状態にするための情報を見てその方法を確認して、その操作キーをアクティブ状態とする作業を容易に行うことができる。
【００６４】
また、本発明の実施形態に係る情報表示処理装置は、操作者ごとに割り当てられた識別情報と、操作キーに対してアクティブ状態または非アクティブ状態を示す前記設定情報とを関連付けて記憶する記憶手段（ＲＡＭ３０やＲＯＭ４０など）と、識別情報を受け付ける識別情報入力手段を有する。制御部は、識別情報入力手段により入力された識別情報に関連付けられた設定情報に基づいて、操作手段により操作を受け付けた、非アクティブ状態に設定された操作キーに対して、操作キーをアクティブ状態にするための情報の表示制御を行う。
詳細には、制御部は、入力された識別情報を記憶手段に記憶されているデータと照合し、高い権限の操作者（管理者など）の識別番号であり、その操作キーに対してアクティブ状態とする権限を有していると判別した場合、操作キーをアクティブ状態にするための情報を表示部に表示する処理を行い、それ以外の場合、アクティブ状態にするための情報を表示しなくても良い。
このため、高い権限の操作者（管理者など）は、その表示部に表示された情報を見ながら、操作キーをアクティブ状態とするための作業を容易に行うことができる。
【００６５】
また、本発明の実施形態に係る情報表示処理装置の制御部は、非アクティブ状態に設定された操作キーをアクティブ状態にするための情報に含まれる一つまたは複数の条件のうち、条件を満たした部分を非表示または通常と異なる表示とし、条件を満たさない部分を表示する処理を行う。
このため、高い権限の操作者は、その条件を満たしていない部分を確認しながら、その操作キーをアクティブ状態とする作業を行うことで、簡単にその操作キーをアクティブ状態とすることができる。
【００６６】
また、本発明の実施形態に係る情報表示処理装置は、非アクティブ状態に設定された操作キーをアクティブ状態にするための情報と、操作キーに関する設定画面を表示部に表示する。
このため、操作者は、アクティブ状態にするための情報を見ながら、操作キーに関する設定画面にて、その操作キーをアクティブ状態とする作業を容易に行うことができ、短時間で操作キーをアクティブ状態とすることができる。
【００６７】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６８】
例えば、制御部は、規定された所定時間だけ、上記ポップアップを表示した後、そのポップアップを消す処理を行ってもよい。
また、制御部は、上記ポップアップを表示した状態で、そのポップアップに対し操作が行われた場合（ポップアップをタッチする等の操作を検出した場合など）に、そのポップアップを消す処理を行ってもよいし、設定変更画面に移行するようにしても良い。
【００６９】
尚、本発明に係る情報表示処理装置は、上述したようにラベルプリンタに適用することができるが、この形態に限られるものではなく、例えば、包装装置、ラベル貼付装置、秤、商品情報処理装置などに適用することができる。
【００７０】
本発明の実施形態に係る情報表示処理装置は、例えば、高い権限の操作者（管理者など）に対して、ほとんど全ての操作キーに割り当てられた所定の機能を実行させることができる。また、この情報表示処理装置は、低い権限の操作者（一般ユーザなど）に対して、所定の操作キーを非アクティブ状態に設定することで、所定の機能の実行を防止することができる。
【００７１】
また、この情報表示処理装置は、非アクティブ状態に設定された操作キーに対して、操作手段により操作を受け付けた場合、該非アクティブ状態に設定された操作キーをアクティブ状態にするための情報を表示部に表示することができる。
詳細には、例えば、情報表示処理装置は、低い権限の操作者（一般ユーザなど）によりログインした状態で、非アクティブ状態に設定された操作キーに対して、操作手段により操作を受け付けた場合、高い権限の操作者（管理者など）の識別情報などの入力を求め、高い権限の操作者であることを認証した後、この操作キーをアクティブ状態にするための情報を表示させるようにしても良い。
【００７２】
操作キーが非アクティブ状態であることを示すには、例えば、網掛け表示、半透明表示、非アクティブ状態を示す色による表示、取り消し線表示、アンダーライン表示、などにより表示部に表示する。
【００７３】
非アクティブ状態に設定された操作キーをアクティブ状態にするための情報の表示方法としては、例えば、ポップアップ表示、別ウィンドウ表示、表示画面の下辺、上辺、左辺、または、右辺などの近傍に設けられた帯状などの情報表示領域での表示、などを採用することができる。
【００７４】
高い権限の操作者（管理者など）は、このアクティブ状態にするための情報に基づいて所定の操作を行う。
情報表示処理装置は、アクティブ状態にするための情報に含まれる一つまたは複数の条件のうち、条件を満たした部分を非表示または通常と異なる表示とし、条件を満たさない部分を表示する処理を行う。
高い権限の操作者は、条件を満たしていない部分を確認しながら、その操作キーをアクティブ状態とする作業を行うことで、簡単に操作キーをアクティブ状態とすることができる。
【００７５】
本発明の実施形態に係るラベルプリンタ１００は、ラベルプリンタの機能や操作に関して、操作者（ユーザ）毎に権限を規定することができ、詳細には、使用できる範囲と使用できない範囲を規定することができる。
また、ラベルプリンタ１００は、ラベルの発行に関する情報の設定やその情報の表示を行うラベル発行画面であるラベル操作画面（値付け画面）に、ログインユーザを切り替える機能を有する。
また、ラベルプリンタ１００は、全ユーザがログアウトした状態であるゲストモードでは、「すべての複数の機能のうち、ほとんどの機能について不許可として制限し、僅かな機能のみを許可した値付けモード」など、機能制限した状態で処理を行う。
【００７６】
操作者（ユーザ）毎に設定する機能とは、例えば、画面毎に表示する操作キー夫々の表示（アクティブ状態）または非表示（非アクティブ状態）、操作キーに対する操作のアクティブ状態または非アクティブ状態、商品データの各項目毎に入力や変更（修正）の可否、商品データや印刷フォーマット等のデータ呼出しの変更可否、メンテナンス画面やデータ設定画面あるいは作業履歴画面等の画面表示の可否、入力操作に応じて表示する入力補助画面の表示・非表示、画面を構成する各表示項目に重ねて表示するアイコンの表示・非表示、一連の工程における或る工程の操作の禁止や、あるいは特定の工程の実施を許可する等を示し、データ各項目に対する入力または修正の可否、画面に表示するボタン１つ１つに対する表示・非表示および操作の可否、一連の工程における或る工程の実行禁止あるいは実行許可、等を操作者（ユーザ）毎に細かく設定することができる。
本実施形態のラベルプリンタ１００は、ゲストモードでは、例えば、値付け画面を表示部に表示させて見ることはできるが、実際のラベル発行の操作を禁止するように制御する。
【００７７】
尚、上記実施形態では、操作キーに関して、非アクティブ状態からアクティブ状態に設定する例を記載したが、この形態に限られるものではなく、例えば、操作キーに関して、アクティブ状態から非アクティブ状態に設定するようにしてもよい。
この場合、制御手段は、キーに関する設定変更キーを押下した後にアクティブキーを押下で変更する為の情報を表示してもよい。そして、制御手段は、アクティブキーを長押しするとポップアップ表示し、ポップアップを押下で変更する為の情報を表示してもよい。
また、この場合、タッチパネルなどの操作入力部で所定箇所を、例えば、長押しなどの所定の操作を行うことで、所定の操作キーに関して、アクティブ状態から非アクティブ状態に設定するようにしてもよい。
【符号の説明】
【００７８】
１…本体部、３…印字機構部（印字手段）、５…操作部、７…キー操作部、９…表示部（表示操作部）、９ａ…タッチパネル、９ｂ…表示部（液晶表示器）、２０…制御部（制御手段）、２１…ロードセル制御部、２２…印字制御部、２３…スキャナ制御部、２４…操作制御部、２５…表示制御部、３０…ＲＡＭ（記憶手段）、４０…ＲＯＭ（記憶手段）、８１…印（識別表示部）、１００…ラベルプリンタ（用紙発行装置）、２００…制御回路部
【図１】
2020074071.tif 000003
【図２】
2020074071.tif 000004
【図３】
2020074071.tif 000005
【図４】
2020074071.tif 000006
【図５】
2020074071.tif 000007
【図６】
2020074071.tif 000008
【図７】
2020074071.tif 000009
【図８】
2020074071.tif 000010
【図９】
2020074071.tif 000011
【図１０】
2020074071.tif 000012
【図１１】
2020074071.tif 000013
【図１２】
2020074071.tif 000014
【図１３】
2020074071.tif 000015
【図１４】
2020074071.tif 000016
【図１５】
2020074071.tif 000017